(57)【特許請求の範囲】
【請求項１】
画像が表示される表示部分を有する表示部と、
前記表示部分の上に設けられ、当該表示部分に表示された画像を視認可能で、当該表示部分における位置指定を行うタッチパネルと、
前記表示部分および前記タッチパネルの外の前記表示部に設けられ、設定モードを指定する、設定キーと、
前記表示部分および前記タッチパネルの外の前記表示部に設けられ、チャンネルを示すチャンネル指示表示枠が配置されたインデックス画面を前記表示部分に表示することを指示する、インデックスキーと、
前記タッチパネルにタッチされた位置を検出する位置検出手段と、
前記設定キー、前記インデックスキーおよび前記位置検出手段で検出した位置検出信号に応じて、選局処理を行う制御処理手段と、
当該制御処理手段の制御に従って、当該制御処理手段によって選局されたチャンネルの画像を前記表示部分に表示し、および、前記制御処理手段がチャンネルの選局を行うための情報を前記表示部分に表示する、表示処理手段と、
前記制御処理手段の制御に従って、前記表示部分にインデックス画面として表示されるチャンネルに関する情報を記憶する記憶手段と
を有し、
前記制御処理手段は、前記インデックスキーが押されたとき、前記表示部分に前記記憶手段に記憶されているチャンネルに関する情報を読みだして、チャンネル表示枠が配置されたインデックス画面を表示させる処理を行い、
前記制御処理手段は、前記表示部分にインデックス画面として表示されているチャンネル表示枠の１つが前記タッチパネルを介して指示されたとき、そのチャンネル表示枠に対応するチャンネルの番組の画像を前記表示部分に表示させる処理を行い、
前記制御処理手段は、
前記設定キーが押されており、前記インデックス画面内に表示されている１つのチャンネル表示枠が前記タッチパネルを介して指示された場合、または、前記インデックス画面内に表示されていない新たな１つのチャンネル表示枠が前記タッチパネルを介して指示された場合に、
前記指示されたチャンネル表示枠を変更する表示を行い、
前記表示部分に、チャンネル番号を増加または減少させるためのチャンネル変更指定情報を表示させ、
前記チャンネル変更指定情報に対する指示が前記タッチパネルを介して指示されたとき、前記表示を変更させたチャンネル表示枠を前記指示されたチャンネルに変更する表示処理およびチャンネル表示設定変更処理を行い、その結果を前記記憶手段に記憶し、
前記更新されたチャンネル表示枠が前記タッチパネルを介して指示された場合、そのチャンネル表示枠に対応するチャンネルの番組の画像を前記表示部分に表示させる処理を行う、
テレビジョン放送番組選局・表示装置。
【請求項２】
前記制御処理手段は、前記インデックスキーが押されたとき、前記表示部分に前記記憶手段に記憶されているチャンネルに関する情報を読みだして、チャンネル表示枠が配置されたインデックス画面を表示させる処理を行い、
前記制御処理手段は、前記表示部分にインデックス画面として表示されているチャンネル表示枠の１つが前記タッチパネルを介して指示されたとき、そのチャンネル表示枠に対応するチャンネルの番組の画像を前記表示部分に表示させる処理を行い、
前記制御処理手段は、前記設定キーが押されていないとき、そして、前記インデックス画面内に表示されている１つのチャンネル表示枠が前記タッチパネルを介して指示された場合、そのチャンネル表示枠に対応するチャンネルの番組の画像を前記表示部分に表示させる処理を行う、
請求項１に記載のテレビジョン放送番組選局・表示装置。
【請求項３】
前記表示部分に表示させるチャンネルの選局画像は、当該テレビジョン放送番組選局装置と無線接続されるベースステーションから送信される、
請求項１または２に記載のテレビジョン放送番組選局・表示装置。
【請求項４】
画像が表示される表示部分を有する表示部と、前記表示部分の上に設けられ、当該表示部分に表示された画像を視認可能で、当該表示部分における位置指定を行うタッチパネルと、前記表示部分および前記タッチパネルの外の前記表示部に設けられ、設定モードを指定する設定キーと、前記表示部分および前記タッチパネルの外の前記表示部に設けられ、チャンネルを示すチャンネル指示表示枠が配置されたインデックス画面を前記表示部分に表示させることを指示するインデックスキーと、前記タッチパネルにタッチされた位置を検出する位置検出手段と、選局されたチャンネルの画像を前記表示部分に表示し、および、チャンネルの選局を行うための情報を前記表示部分に表示する表示処理手段と、前記表示部分にインデックス画面として表示されるチャンネルに関する情報を記憶する記憶手段とを有するテレビジョン放送番組選局・表示装置に適用するテレビジョン放送番組選局・表示方法であって、
前記インデックスキーが押されたとき、前記表示部分に前記記憶手段に記憶されているチャンネルに関する情報を読みだして、チャンネル表示枠が配置されたインデックス画面を表示させる処理を行う第１の工程と、
前記表示部分にインデックス画面として表示されているチャンネル表示枠の１つが前記タッチパネルを介して指示されたとき、そのチャンネル表示枠に対応するチャンネルの番組の画像を前記表示部分に表示させる処理を行う第２の工程と、
前記設定キーが押されており、前記インデックス画面内に表示されている１つのチャンネル表示枠が前記タッチパネルを介して指示された場合、または、前記インデックス画面内に表示されていない新たな１つのチャンネル表示枠が前記タッチパネルを介して指示された場合に、前記指示されたチャンネル表示枠を変更する表示を行い、前記表示部分に、チャンネル番号を増加または減少させるためのチャンネル変更指定情報を表示させ、前記チャンネル変更指定情報に対する指示が前記タッチパネルを介して指示されたとき、前記表示を変更させたチャンネル表示枠を前記指示されたチャンネルに変更する表示処理およびチャンネル表示設定変更処理を行い、その結果を前記記憶手段に記憶する第３の工程と、
前記更新されたチャンネル表示枠が前記タッチパネルを介して指示された場合、そのチャンネル表示枠に対応するチャンネルの番組の画像を前記表示部分に表示させる処理を行う第４の工程と
を有する、テレビジョン放送番組選局・表示方法。
【請求項５】
画像が表示される表示部分を有する表示部と、前記表示部分の上に設けられ、当該表示部分に表示された画像を視認可能で、当該表示部分における位置指定を行うタッチパネルと、前記表示部分および前記タッチパネルの外の前記表示部に設けられ、設定モードを指定する、設定キーと、前記表示部分および前記タッチパネルの外の前記表示部に設けられ、チャンネルを示すチャンネル指示表示枠が配置されたインデックス画面を前記表示部分に表示する、インデックスキーと、前記タッチパネルにタッチされた位置を検出する位置検出手段と、選局されたチャンネルの画像を前記表示部分に表示し、および、チャンネルの選局を行うための情報を前記表示部分に表示する、表示処理手段と、前記表示部分にインデックス画面として表示されるチャンネルに関する情報を記憶する記憶手段とを有するテレビジョン放送番組選局・表示装置に適用するプログラムであって、
前記インデックスキーが押されたとき、前記表示部分に前記記憶手段に記憶されているチャンネルに関する情報を読みだして、チャンネル表示枠が配置されたインデックス画面を表示させる処理を行う第１の手順と、
前記表示部分にインデックス画面として表示されているチャンネル表示枠の１つが前記タッチパネルを介して指示されたとき、そのチャンネル表示枠に対応するチャンネルの番組の画像を前記表示部分に表示させる処理を行う第２の手順と、
前記設定キーが押されており、前記インデックス画面内に表示されている１つのチャンネル表示枠が前記タッチパネルを介して指示された場合、または、前記インデックス画面内に表示されていない新たな１つのチャンネル表示枠が前記タッチパネルを介して指示された場合に、前記指示されたチャンネル表示枠を変更する表示を行い、前記表示部分に、チャンネル番号を増加または減少させるためのチャンネル変更指定情報を表示させ、前記チャンネル変更指定情報に対する指示が前記タッチパネルを介して指示されたとき、前記表示を変更させたチャンネル表示枠を前記指示されたチャンネルに変更する表示処理およびチャンネル表示設定変更処理を行い、その結果を前記記憶手段に記憶する第３の手順と、
前記更新されたチャンネル表示枠が前記タッチパネルを介して指示された場合、そのチャンネル表示枠に対応するチャンネルの番組の画像を前記表示部分に表示させる処理を行う第４の手順と
をコンピュータに実行させる、プログラム。
【発明の詳細な説明】
【０００１】
【発明の属する技術分野】
本発明は、例えば、設定ボタンを有する情報処理装置、情報処理方法、およびプログラムに関するものである。
より具体的には、本発明は、テレビジョン放送番組選局・表示装置、テレビジョン放送番組選局・表示方法およびそのプログラムに関する。
【０００２】
【従来の技術】
従来、例えば、所定の処理が対応付けられたアイコンが表示部に表示され、そのアイコンがユーザにより選択されて操作されると、対応付けられた所定の処理を行う情報処理装置が知られている（例えば、特許文献１参照。）。
【０００３】
【特許文献１】
特開平１０−２８５４７９号公報
【０００４】
【発明が解決しようとする課題】
従来の情報処理装置では、所望のアイコンに所定の処理を対応付ける際には、例えば所定の処理毎に分類された深い階層の設定画面を詮索して設定を行う。
【０００５】
例えば設定画面を表示させ、その中から表示に関する設定画面を選択して、その中からアイコンの設定画面を選択して表示させ、そのアイコンの設定画面上で所望の処理の対応付けを行うという煩雑な操作を行わなければならない。
【０００６】
また、所望の対応付けを行う場合には、分類分けされた設定画面を正確に詮索しなければならず、途中で異なる分類の設定画面に迷い込む等の問題がある。
【０００７】
本発明は、かかる事情に鑑みてなされたものであり、その目的は、煩雑な操作を行わずに操作手段の設定を行える情報処理装置、情報処理方法、およびプログラムを提供することにある。
より特定的にには、本発明は、チャンネルの選局が容易な、テレビジョン放送番組選局・表示装置、テレビジョン放送番組選局・表示方法およびそのプログラムを提供することにある。
【０００８】
【課題を解決するための手段】
本発明のテレビジョン放送番組選局・表示装置は、画像が表示される表示部分を有する表示部と、前記表示部分の上に設けられ、当該表示部分に表示された画像を視認可能で、当該表示部分における位置指定を行うタッチパネルと、前記表示部分および前記タッチパネルの外の前記表示部に設けられ、設定モードを指定する、設定キーと、前記表示部分および前記タッチパネルの外の前記表示部に設けられ、チャンネルを示すチャンネル指示表示枠が配置されたインデックス画面を前記表示部分に表示することを指示する、インデックスキーと、前記タッチパネルにタッチされた位置を検出する位置検出手段と、前記設定キー、前記インデックスキーおよび前記位置検出手段で検出した位置検出信号に応じて、選局処理を行う制御処理手段と、当該制御処理手段の制御に従って、当該制御処理手段によって選局されたチャンネルの画像を前記表示部分に表示し、および、前記制御処理手段がチャンネルの選局を行うための情報を前記表示部分に表示する、表示処理手段と、前記制御処理手段の制御に従って、前記表示部分にインデックス画面として表示されるチャンネルに関する情報を記憶する記憶手段とを有する。
【０００９】
前記制御処理手段は、前記インデックスキーが押されたとき、前記表示部分に前記記憶手段に記憶されているチャンネルに関する情報を読みだして、チャンネル表示枠が配置されたインデックス画面を表示させる処理を行う。
また、前記制御処理手段は、前記表示部分にインデックス画面として表示されているチャンネル表示枠の１つが前記タッチパネルを介して指示されたとき、そのチャンネル表示枠に対応するチャンネルの番組の画像を前記表示部分に表示させる処理を行う。
【００１０】
前記制御処理手段は、前記設定キーが押されたとき、そして、前記インデックス画面内に表示されている１つのチャンネル表示枠が前記タッチパネルを介して指示された場合、または、前記インデックス画面内に表示されていない新たな１つのチャンネル表示枠が前記タッチパネルを介して指示された場合に、
まず、前記指示されたチャンネル表示枠を変更する表示を行い、
次いで、前記表示部分に、チャンネル番号を増加または減少させるためのチャンネル変更指定情報を表示させ、
さらに、前記チャンネル変更指定情報に対する指示が前記タッチパネルを介して指示されたとき、前記表示を変更させたチャンネル表示枠を前記指示されたチャンネルに変更する表示処理およびチャンネル表示設定変更処理を行い、その結果を前記記憶手段に記憶する。
そして、前記制御処理手段は、前記更新されたチャンネル表示枠が前記タッチパネルを介して指示された場合、そのチャンネル表示枠に対応するチャンネルの番組の画像を前記表示部分に表示させる処理を行う。
【００１１】
また本発明によれば、上記処理を行うテレビジョン放送番組選局・表示方法、および、そのプログラムが提供される。
【００１２】
【発明の実施の形態】
本発明の一実施の形態を図を参照しながら説明する。
本実施の形態では、情報処理装置として、ＴＶチューナを内蔵したワイヤレステレビ（モニタとも言う）を例示して説明する。
【００１３】
図１は、本発明に係る情報処理装置を含むワイヤレステレビシステムの全体構成図である。
本実施の形態に係るワイヤレステレビシステム１は、図１に示すように、モニタ２、ベースステーション３（ベース３とも言う）、ペン４、ＡＣアダプタ５、ＡＣアダプタ６とを有する。
【００１４】
モニタ２は、本発明に係る情報処理装置に相当する。
ＡＣアダプタ５はモニタ２へ電源を供給し、ＡＣアダプタ６はベース３へ電源を供給する。
【００１５】
モニタ２とベース３は、例えば、ＩＥＥＥ８０２．１１ｂ等の無線通信によってデータの送受信を行う。
モニタ２には、タッチパネル装置が設けられている。このタッチパネル装置に対して、ペン４やユーザの指先等でポインティングされることで指示された位置に関連付けられた所望の処理を行う。
【００１６】
ベース３は、ＴＶアンテナＡＮＴを介して入力されたＴＶ信号に対して画像処理を行い、処理した画像信号をモニタ２に送信し、モニタ２に表示させる。
ベース３は、電話線やＬＡＮケーブル等の通信線Ｌを接続可能であり、モニタ２からの制御により、通信線Ｌを介して不図示のサーバ等にアクセスしてデータ通信を行い、所定のデータの送受信をモニタ２と行う。
【００１７】
図２は、図１に示したベースステーション３の機能ブロック図である。
ベースステーション３は、図２に示すように、ＣＰＵ（Central processing unit ）３０１、ＲＯＭ（Read only memory）３０２、ＲＡＭ（Random access memory）３０３、ＮＶＲＡＭ（Non volatile random access memory ）３０４、サブマイコン（SubCPU）３０５、ＬＥＤ（Light emitting diode）３０６、キー（Key ）３０７、モデム（Modem ）３０８、ホーン端子（Phone Jack）３０９、イーサネット（登録商標）コントローラ（Ether ）３１０、ネット用端子（10BASE-T Jack ）３１１、チューナ（Tuner ）３１２、アンテナ端子（antenna connector ）３１３、ＡＶ制御ブロック（AV Control block）３１４、ＡＶ端子（AV jack ）３１５、ＭＰＥＧビデオエンコーダ（Moving picture experts group video encoder）３１６、ＲＡＭ３１７、ＭＰＥＧオーディオエンコーダ（MPEG Audio encoder）３１８、アナログ／デジタルコンバータ（A/DC）３１９、マルチプレクサ（ＭＵＸ：Multiplexer ）３２０、ＲＦ（Radio frequency ）モジュール３２１、ホストバスＨＢ、およびＰＣＩ（Peripheral component interconnect）バスＰＣＩＢＳを有する。
【００１８】
ホストバスＨＢは、ＣＰＵ３０１、ＲＯＭ３０２、ＲＡＭ３０３、ＮＶＲＡＭ３０４、サブマイコン３０５、モデム３０８、チューナ３１２、ＡＶ制御ブロック３１４、ＭＰＥＧビデオエンコーダ３１６、およびＭＰＥＧオーディオエンコーダ３１８とを接続する。
ＰＣＩバスＰＣＩＢＳは、ＣＰＵ３０１、イーサネットコントローラ３１０、およびＭＵＸ３２０とを接続し、ホストバスＨＢとは独立している。
【００１９】
ＣＰＵ３０１は、ベースステーション３全体の制御および演算を行う機能を有し、ＲＯＭ３０２に記憶されているプログラムやパラメータに基づいて所定の処理を行う。
ＲＯＭ３０２は、ＣＰＵ３０１の指示により、所定の処理に関するプログラムが格納され、ＣＰＵ３０１により読み出される。
【００２０】
ＲＡＭ３０３は、ＣＰＵ３０１の指示により、情報の書込み、および読出しを行う。
ＮＶＲＡＭは３０４は、電源が切れても記憶内容が破壊されない不揮発性の記憶部分であり、チャンネルの設定などが格納されている。
【００２１】
サブマイコン３０５は、キー３０７よりコードを含む信号が入力され、コードを解読して、その内容をＣＰＵ３０１に出力する。また、サブマイコン３０５は、ＣＰＵ３０１の指示によりＬＥＤ３０６の明滅を制御する機能を有する。
キー３０７は、例えば電源キー等を有する。
【００２２】
モデム３０８は、ホーン端子３０９に接続された電話回線を通して外部との通信を行う。
イーサネットコントローラ３１０は、例えばネット用端子３１１に接続されたイーサネットケーブルを介して外部と通信を行う。
【００２３】
チューナ３１２は、アンテナ端子３１３に接続されたアンテナＡＮＴより信号を受けて復調し、ＣＰＵ３０１が指示したチャンネル周波数を選局し、選局されたチャンネル周波数のビデオ信号およびオーディオ信号をＡＶ制御ブロック３１４へ出力する。
【００２４】
ＡＶ制御ブロック（AV Control block）３１４は、チューナ３１２およびＡＶ端子３１５よりビデオ信号およびオーディオ信号を入力でき、ＣＰＵ３０１の制御により所定の信号を選択する。ＡＶ制御ブロック３１４は、選択したそのビデオ信号をＭＰＥＧビデオエンコーダ３１６へ出力し、選択したオーディオ信号をＡ／ＤＣ３１９を介してＭＰＥＧオーディオエンコーダ３１８へ出力する。
【００２５】
ＭＰＥＧビデオエンコーダ３１６は、ＡＶ制御ブロック３１４より得られたビデオ信号をデジタル符号化しマルチプレクサ（ＭＵＸ）３２０へ出力する。
ＲＡＭ３１７は、ＭＰＥＧビデオエンコーダ３１６が画像の展開などに用いる作業用の記憶部分である。
【００２６】
ＭＰＥＧオーディオエンコーダ３１８は、ＡＶ制御ブロック３１４から出力されたオーディオ信号をデジタル符号化しマルチプレクサ（ＭＵＸ）３２０へ出力する。
【００２７】
マルチプレクサ（ＭＵＸ）３２０は、ＭＰＥＧビデオエンコーダ３１６とＭＰＥＧオーディオエンコーダ３１８の同期を考慮してタイムスタンプを付加しパケット化してＲＦモジュール３２１へ出力する。
【００２８】
ＲＦモジュール３２１は、モニタ２のＲＦモジュールと無線通信を行い、モニタ２のＣＰＵ２０１（図３）と、ＣＰＵ３０１間の制御データを送受信したり、マルチプレクサ（ＭＵＸ）３２０が出力したパケット化されたデジタルＡＶデータをモニタ２のＲＦモジュールを介してデマルチプレクサ（ＤｅＭＵＸ）２１１（図３）へ出力する等の処理を行う。
【００２９】
図３は、図１に示したモニタ３の機能ブロック図である。
モニタ２は、図３に示すように、ＣＰＵ２０１、ＲＯＭ２０２、ＲＡＭ２０３、ＮＶＲＡＭ２０４、サブマイコン（SubCPU）２０５、ＬＥＤ２０６、キー（Key ）２０７、タッチパネルコントローラ（Touch panel controller）２０８、タッチパネル２０９、ＲＦモジュール２１０、デマルチプレクサ（ＤｅＭＵＸ）２１１、ＭＰＥＧビデオデコーダ（MPEG Video Decoder）２１２、ＲＡＭ２１３、ＭＰＥＧオーディオデコーダ（MPEG Audio Decoder）２１４、デジタル／アナログコンバータ（D/AC）２１５、グラフィックチップ２１６、ＲＡＭ２１７、ＬＣＤコントローラ２１８、ＬＣＤ２１９、ＡＣ９７コーデック（Codec ）２２０、ミキサ（Mixer ）２２１、トーンボリュームコントローラ（Tone vol controller ）２２２、スピーカアンプ（Speaker Amp ）２２３、スピーカ２２４、ホストバスＨＢ、およびＰＣＩバスＰＣＩＢＳとを有する。
【００３０】
ホストバスＨＢは、ＣＰＵ２０１、ＲＯＭ２０２、ＲＡＭ２０３、ＮＶＲＡＭ２０４、サブマイコン２０５、タッチパネルコントローラ２０８、ＭＰＥＧビデオデコーダ２１２、ＭＰＥＧオーディオデコーダ２１４、グラフィックチップ２１６、およびトーンボリュームコントローラ２２２とを接続する。
【００３１】
ＰＣＩバスＰＣＩＢＳは、ＣＰＵ２０１、およびＤｅＭＵＸ２１１を接続し、ホストバスＨＢとは独立して高速に情報の授受を行う。
【００３２】
ＲＯＭ２０２は、ＣＰＵ２０１の制御により、例えば本実施の形態に係る処理を行うためのプログラムＰや、アイコンＩｃデータなどの情報が格納されている。ＲＯＭ２０２に記憶されているプログラムＰやデータは、ＣＰＵ２０１により読み出しされ、所定の処理が行われる。
【００３３】
ＲＡＭ２０３は、ＣＰＵ２０１の制御により、情報の書き込み・読み出しを行う記憶部分である。
ＮＶＲＡＭ２０４は、電源が切れても記憶内容が破壊されない不揮発性の記憶部分であり、チャンネルの設定などが格納されている。
【００３４】
サブマイコン（SubCPU）２０５は、ＣＰＵ２０１の制御によりＬＥＤ２０６の明滅を制御する。
サブマイコン２０５は、キー２０７から出力されたコードを含む信号に基づいてコードを解読して、その内容をＣＰＵ２０１へ出力する。
【００３５】
キー２０７は、設定キー２０７１、インデックスキー（Index ）２０７２、および電源キー２０７３等を有する。
設定キー２０７１は、本発明に係る指定手段に相当する。
設定キー２０７１は、通常のモード（第１のモード）または設定モード（第２のモード）のいずれかを指定する（設定する）際に操作される。
【００３６】
設定キー２０７１は、詳細には、１回の指定操作を受けて、第１のモードまたは第２のモードのうち、その指定操作に対応するモード（態様）を指定する。
詳細には、設定キー２０７１は、例えばユーザにより押されると第２のモードを指定し、それ以外の場合には第１のモードを指定する。
【００３７】
インデックスキー２０７２は、複数の所定のアイコンＩｃが配置されたインデックス画面（インデックス部Ｉｄｘ）をＬＣＤ２１９に表示させる際に操作される。
電源キー２０７３は、モニタ２の電源のオンおよびオフを切り替える際に操作される。
【００３８】
タッチパネルコントローラ２０８は、タッチパネル２０９に、例えば、ユーザがペン４あるいは指先で押圧した位置情報をＣＰＵ２０１へ出力する。
タッチパネル２０９は、ＬＣＤ２１９の上面に設けられている。タッチパネル２０９は、例えばペン４等により所望の位置が押圧等により操作されると、その位置情報をタッチパネルコントローラ２０８を介してＣＰＵ２０１に出力する。
【００３９】
ＲＦモジュール２１０は、ベースステーション３のＲＦモジュール３２１と無線通信を行い、ベースステーション３のＣＰＵ３０１とモニタ２のＣＰＵ２０１間で制御データを送受信したり、パケット化されたデジタルＡＶデータをＤｅＭＵＸ２１１へ出力する。
【００４０】
ＤｅＭＵＸ２１１は、ＲＦモジュール２１０を介して得られたパケット化されたデジタルＡＶデータからデジタルビデオ信号とデジタルオーディオ信号に分離し、分離した両者のデータの同期を取ったデジタルビデオ信号とデジタルオーディオ信号を、それぞれＭＰＥＧビデオデコーダ２１２とＭＰＥＧオーディオデコーダ２１４へ出力する。
【００４１】
ＭＰＥＧビデオデコーダ２１２は、入力されたデジタルオーディオ信号を圧縮されているオーディオ信号のデコード処理を行い、Ｄ／Ａコンバータ２１５を介してミキサ２２１へ出力する。
【００４２】
ＭＰＥＧオーディオデコーダ２１４は、入力されたデジタルオーディオ信号を圧縮されているオーディオ信号のデコード処理を行い、Ｄ／Ａコンバータ２１５を介してミキサ２２１へ出力する。
【００４３】
グラフィックチップ２１６は、ＣＰＵ２０１がＲＡＭ２１３に描画した（記憶させた）グラフィック画像データを、ＭＰＥＧビデオデコーダ２１２より得られた映像に重畳し、重畳した信号に対してＬＣＤ２１９に表示するための制御処理を行うＬＣＤコントローラ２１８を介してＬＣＤ２１９へ出力する。
ＬＣＤ２１９は、ＬＣＤコントローラ２１８から出力された信号に基づいて画像表示を行う。
【００４４】
グラフィックチップ２１６は、ＣＰＵ２０１が指定したＲＡＭ２０３やＲＯＭ２０２などに格納されたオーディオデータを、ＡＣ９７コーデック２２０へ出力する。
【００４５】
ＡＣ９７コーデック２２０は、デジタルオーディオ信号をアナログ信号へ変換しミキサ２２１に出力する。
【００４６】
ミキサ２２１は、Ｄ／Ａコンバータ２１５と、ＡＣ９７コーデック２２０からのオーディオ信号とを合成し、トーンボリュームコントローラ２２２へ出力する。
【００４７】
トーンボリュームコントローラ２２２は、ＣＰＵ２０１の制御のもと、ミキサ２２１から出力された信号に応じて、音色やボリュームを制御し、スピーカアンプ２２３に出力する。
スピーカアンプ２２３は、トーンボリュームコントローラ２２２から出力された信号を所定の大きさに増幅し、スピーカ２２４、詳細には、２つのスピーカＲ２２４１およびスピーカＬ２２４２を介して発音する。
【００４８】
ＣＰＵ２０１は、モニタ２の全体の制御・演算を行う機能を有する。
ＣＰＵ２０１は、ＲＯＭ２０２に記憶されているプログラムＰに従って、以下に述べる各種の処理を実行する。
【００４９】
ＣＰＵ２０１は、例えば、指定手段（たとえば、設定キー２０７１）により第１のモードが指定されているときに、操作手段が操作されると当該操作手段に対応付けられた処理を実行し、他方、指定手段（たとえば、設定キー２０７１）により第２のモードが指定されているときに、操作手段が操作されると操作手段に対応付けられた処理を指定する処理を行う。
【００５０】
指定手段は、上述したように、例えば、設定キー２０７１およびインデックスキー２０７２が該当する。
他方、操作手段としては、不図示の印刷キー等のハード的なキーや、例えば、ＬＣＤ２１９の画面上に表示され、タッチパネル２０９により操作可能な、所定の処理が対応付けられた機能ボタン画像（アイコンＩｃとも言う）が該当する。
【００５１】
例えば、タッチパネル２０９に対して、アイコンＩｃが表示されている位置にペン４やユーザの指等が押圧などすると、タッチパネルコントローラ２０８がそれを検出して、指定された位置情報をＣＰＵ２０１に出力する。
【００５２】
ＣＰＵ２０１は、通常のモード（第１のモード）では、その位置情報に基づいて、ＬＣＤ２１９のその表示位置に表示されているアイコンＩｃに対応付けられた所定の処理を行う。
【００５３】
ＣＰＵ２０１は、複数のアイコンＩｃを、ＬＣＤ２１９の画面上の所定の位置に表示させる。ＣＰＵ２０１は、設定キー２０７１により設定モード（第２のモード）が指定されているときに、当該表示させたアイコンＩｃを削除する設定を行う場合に、削除対象のアイコンＩｃをＬＣＤ２１９の画面上から削除し、当該削除対象のアイコンＩｃ以外のアイコンＩｃの画面上の表示位置を保持する。
【００５４】
ＣＰＵ２０１は、設定キー２０７１により設定モード（第２のモード）が指定されている場合に、新たな機能ボタンを示す画像を追加してＬＣＤ２１９の画面上に表示させる場合に、アイコンＩｃが削除されて空いているＬＣＤ２１９の画面上の位置を検索し、検索の結果に応じた画面上の空いている位置に新たなアイコンＩｃを表示させる。
【００５５】
また、ＣＰＵ２０１は、設定キー２０７１により設定モード（第２のモード）が指定されている場合に、例えば、インデックスキー２０７２、電源キー２０７３や、不図示の印刷キー等のハード的なキーが操作されると、そのハード的なキーに対応付けられた所定の処理を指定する処理を行う。
【００５６】
詳細には、ＣＰＵ２０１は、例えば、設定キー２０７１によって設定モードが指定されている場合に、所定の処理を指定するための画像をＬＣＤ２１９に表示させ、タッチパネル２０９の操作に応じて、そのキーに対応付ける所定の処理を指定（設定）する。
【００５７】
図４は、図１に示したモニタの一具体例を示す全体図である。
図５は、図１に示したモニタの一具体例を示す全体図である。
【００５８】
モニタ２は、図４および図５に示すように、モニタ本体部として、設定キー２０７１、インデックスキー２０７２、タッチパネル２０９、およびＬＣＤディスプレイ（ＬＣＤ）２１９とを有する。
例えば、モニタ本体部の中央部にタッチパネル２０９およびＬＣＤ２１９が設けられ、タッチパネル２０９およびＬＣＤ２１９の外周の、本体部の左上部に設定キー２０７１が設けられ、本体部の右上部にインデックスキー２０７２が設けられている。
【００５９】
ＬＣＤ２１９には、図５に示すように、選局された番組の画像と、その画像の上にインデックス部Ｉｄｘとが表示される。
インデックス部Ｉｄｘは、インデックスキー２０７２の押下によって表示／非表示が変化する。
インデックス部Ｉｄｘには、放送チャンネル毎に対応したアイコンＩｃが表示され、初期状態では、例えば地域に応じたチャンネル設定が予めなされており、各々のアイコンＩｃには各チャンネルに対応したチャンネル番号やロゴなどが表示されている。
【００６０】
図６は、図１に示すモニタのアイコンＩｃとを対応付けたチャンネル設定に関する処理を説明するための図である。
アイコンＩｃは、図６に示すように、次のアイコンＩｃ枠へのポインタＩｃ＿１０１、チャンネル番号Ｉｃ＿１０２、チャンネル選局情報Ｉｃ＿１０３、アイコンＩｃへのポインタＩｃ＿１０４、およびアイコンＩｃのビットマップデータＩｃ＿１０５とを有する。
【００６１】
次のアイコンＩｃ枠へのポインタＩｃ＿１０１は、次のリンク先のアイコンＩｃ枠を示すポインタ変数である。
チャンネル番号Ｉｃ＿１０２は、テレビジョン放送のチャンネルの番号を示すデータである。
【００６２】
チャンネル選局情報Ｉｃ＿１０３は、テレビジョン放送のチャンネルを選局する際に参照されるデータである。
アイコンＩｃへのポインタＩｃ＿１０４は、アイコンＩｃへのポインタである。
アイコンＩｃのビットマップデータＩｃ＿１０５は、ＬＣＤ２１９の画面上に表示させる際のアイコンＩｃのビットマップデータである。
【００６３】
チャンネル設定は、図６に示すように、構造体の各要素が定義されている状態を設定することである。
各構造体はリンク状に連なっており、次のリンク先を示すポインタ変数が、終端の意味を示す値、例えば、０となるまで繋がっている。
【００６４】
図７は、図１に示したモニタのオブジェクトの相関を示す図である。
ＲＯＭ２０２に格納されたプログラムＰに基づいて動作するＣＰＵ２０１は、例えば、図７に示すように、設定キー処理オブジェクト（SetupKey）２０１１、インデックスキー処理オブジェクト（IndexKey）２０１２、タッチパネルオブジェクト（TouchPanel）２０１３、インデックス表示オブジェクト（IndexDisplay）２０１４、チャンネル情報オブジェクト（Channel ）２０１５、および選局オブジェクト（Tune）２０１６の機能を遂行する。
【００６５】
設定キー処理オブジェクト２０１１は、設定キー２０７１が押されたか否かの状態を判定し保持する。また設定キー処理オブジェクト２０１１は、タッチパネルオブジェクト２０１３の要求に応じて、設定キー２０７１が押されたか否かのその状態を返す。
【００６６】
インデックスキー処理オブジェクト２０１２は、インデックスキー２０７２が押されたか否かの状態を判定する。インデックスキー処理オブジェクト２０１２は、インデックスキー２０７２が押されたと判別した場合には、タッチパネルオブジェクト２０１３へ通知する。
【００６７】
タッチパネルオブジェクト２０１３は、インデックスキー処理オブジェクト２０１２からのインデックスキー２０７２が押されたと判別した通知を受けた時点でのタッチパネル２０９上の接点の位置（タッチされた位置）を読み取る。タッチパネルオブジェクト２０１３は、チャンネル情報オブジェクト２０１５よりアイコンＩｃ枠の位置を取得し、取得したアイコンＩｃ枠の位置と読み取ったタッチパネル２０９上の位置と比較し、該当するアイコンＩｃ枠が存在するかどうか調べる。タッチパネルオブジェクト２０１３は、設定キー処理オブジェクト２０１１の状態によって、チャンネルの登録や選局などを行う。
【００６８】
インデックス表示オブジェクト２０１４は、タッチパネルオブジェクト２０１３より、チャンネル情報オブジェクト２０１５に変更があったことを通知され、チャンネル情報オブジェクト２０１５の内容にしたがって、ＬＣＤ２１９に表示する、インデックスオブジェクトの表示を更新する。
【００６９】
チャンネル情報オブジェクト２０１５は、各アイコンＩｃ枠の情報をタッチパネルオブジェクト２０１３、インデックス表示オブジェクト２０１４、および選局オブジェクト２０１６に提供する。
各アイコンＩｃ枠の情報は、例えば、図６に示すようなリスト（リンク）構造になっており、次のアイコンＩｃ枠の情報を探し出すことができる。
【００７０】
選局オブジェクト２０１６は、チャンネル情報オブジェクト２０１５から、チャンネルが選局されたことを通知され、該当するアイコンＩｃ枠に該当するチャンネルの選局情報をチャンネル情報オブジェクト２０１５から取得し、選局する。
【００７１】
上述したオブジェクトの相関の動作を、図７を参照しながら説明する。
インデックスキー処理オブジェクト２０１２では、インデックスキー２０７２が押されたか否かの状態が判定され、インデックスキー２０７２が押されていると判別された場合には、タッチパネルオブジェクト２０１３へ通知される。
【００７２】
タッチパネルオブジェクト２０１３は、インデックスキー処理オブジェクト２０１２からの通知を受けた時点でのタッチパネル２０９上の接点の位置（タッチされた位置）を読み取る。タッチパネルオブジェクト２０１３は、チャンネル情報オブジェクト２０１５よりアイコンＩｃ枠の位置を取得し、取得した位置と読み取った位置と比較する。タッチパネルオブジェクト２０１３は、読み取った位置がアイコンＩｃ枠上になければ、図６に例示したように、次のアイコンＩｃ枠と比較する。
【００７３】
図８は、図１に示したモニタの設定キーに関する動作を説明するためのフローチャートである。
モニタ２のＣＰＵ２０１の処理、図６に例示したリンク構造に関して、例えば、チャンネル情報オブジェクト２０１５の終端までに該当するアイコンＩｃ枠があった場合の処理の動作を図８を参照しながら説明する。
【００７４】
初期状態では、通常のモード（第１のモードに相当する）である。
ステップＳＴ１において、ＣＰＵで２０１は、設定キー２０７１が操作（例えば押圧）されているか否かを判別する。ＣＰＵ２０１では、設定キー２０７１が操作されていると判別された場合には、設定モード（第２のモードに相当する）に移行する。
【００７５】
ステップＳＴ２において、ＣＰＵ２０１では、ＬＣＤ２１９に表示され、ペン４等によりタッチパネル２０９上で特定（指定）された枠にアイコンＩｃが存在しているか否かが判別される。特定された枠にアイコンＩｃが存在していると判別された場合には、ＣＰＵ２０１では、ＬＣＤ２１９の表示画面上のアイコンＩｃを削除する（ＳＴ３）。
【００７６】
一方、ステップＳＴ２の判別において、特定された枠にアイコンＩｃが存在しないと判別された場合には、ＣＰＵ２０１は、空いているその枠に現在選局中のチャンネルを登録する。詳細には、ＣＰＵ２０１では、ＬＣＤ２１９の画面上の空いているその枠に新たにアイコンＩｃを表示させる（ＳＴ４）。
【００７７】
一方、ステップＳＴ１の判別において、設定キー２０７１が押されていない場合と判別された場合には、通常モード（第１のモード）を意味しており、アイコンＩｃがタッチパネル２０９の特定された枠に存在していれば（ＳＴ５）、ＣＰＵ２０１は、そのアイコンＩｃに対応したチャンネルを選局する（ＳＴ６）。
一方、ステップＳＴ５において、タッチパネル２０９の特定された枠にアイコンＩｃが存在しないと判別された場合には、ＣＰＵ２０１は、その状態を維持し、何もしない（ＳＴ７）。
【００７８】
図９は、図１に示したモニタの動作を説明するフローチャートである。
図６に例示したリンク構造に関して、チャンネル情報オブジェクト２０１５の終端までに該当するアイコンＩｃ枠が無かった場合の動作を、図９を参照しながら説明する。
【００７９】
設定キー２０７１が押されている場合（ＳＴ１１）には、ＣＰＵ２０１は、設定モード（第２のモード）に移行し、チャンネル情報オブジェクト２０１５の中から、チャンネル設定がされていないものを検索し、もし設定されていないものがなければ、チャンネル情報オブジェクト２０１５の最後尾にアイコンＩｃ枠を追加し（ＳＴ１２）、そのアイコンＩｃの枠に現在選局中のチャンネルを登録する（ＳＴ１３）。
一方、ステップＳＴ１１の判別において、設定キー２０７１が押されていない場合には、通常のモード（第１のモード）を意味しており、ＣＰＵ２０１はその状態を維持し、何もしない（ＳＴ１４）。
【００８０】
上述した構成の動作を図４，５，および図１０〜２３を参照しながら、例えばユーザにより行われる操作を示しながら、モニタ２の動作を説明する。
まず、所望のチャンネルを選局する方法を説明する。
【００８１】
例えば１チャンネルが選局されている場合には、ＣＰＵ２０１では、図４に示すように、ＬＣＤ２１９の画面上に１チャンネルの番組の画像を表示させる。
【００８２】
インデックスキー２０７２が操作されると、ＣＰＵ２０１では、図５に示すように、ＬＣＤ２１９の画面上にインデックス部Ｉｄｘを表示させる。ＣＰＵ２０１は、例えば図５に示すように、インデックス部Ｉｄｘの背景には、上述した１チャンネルの画像を表示させる。換言すれば、ＬＣＤ２１９に１チャネルの画像を表示させている上に、インデックス部Ｉｄｘを重ねて表示させる。
【００８３】
図１０に示すように、設定キー２０７１を押さない状態で（第１モード（通常モード）において）、インデックス部Ｉｄｘの”４０”チャンネルを示すアイコンＩｃ枠の位置がペン４が、タッチパネル２０９に触れられると、ＣＰＵ２０７は、図１１に示すように、１チャネルの画像とインデックス部ＩｄｘをＬＣＤ２１９から消去し、ＬＣＤ２１９には、４０チャンネルの番組を示す画像だけを表示させる。
【００８４】
次に、既に定義されているアイコンＩｃ枠へ、所定のチャンネルを選局するための処理を対応付けるアイコンＩｃを設定する動作を説明する。
図１２に示すように、例えば、設定キー２０７１が操作（押圧）された状態では、ＣＰＵ２０９は設定モード（第２モード）に移行する。
【００８５】
インデックス部Ｉｄｘのチャンネル”２８”と表示されているアイコンＩｃ枠をペン４で触れられると、図１３に斜線で示すように、ＣＰＵ２０１は、”２８”チャンネルを示すアイコンＩｃ枠の色を変えてＬＣＤ２１９に表示させ、ＬＣＤ２１９の画面上にチャンネルを変えるための”＋”アイコンＩｃ＿ｐおよび”−”アイコンＩｃ＿ｍを表示させる。
【００８６】
ここで、ペン４によって”＋”アイコンＩｃ＿ｐが操作されると、ＣＰＵ２０９では、チャンネル番号の値が大きいチャンネルを選局する設定を行い、ペン４によって”−”アイコンＩｃ＿ｍが操作されると、ＣＰＵ２０１はチャンネル番号の値が小さいチャンネルを選局する設定を行う。
【００８７】
例えば、ＬＣＤ２１９のアイコンＩｃ枠には表示されていない、４０チャンネルが、”＋”アイコンＩｃ＿ｐの操作によって、選択された場合には、ＣＰＵ２０１では、図１５に示すように、チャンネル”２８”が表示されていてペン４が触れられた、ＬＣＤ２１９の画面上のアイコンＩｃ枠に４０チャンネルを示すアイコンＩｃを表示させ、インデックス部Ｉｄｘの背景には４０チャンネルの番組を示す画像を表示させる処理を行う。
【００８８】
ＣＰＵ２０１では、図１６に示すように、色が変わっているインデックス部Ｉｄｘの”４０”アイコンＩｃと表示されている枠をペン４で触れられると、現在選局中のチャンネルに、先ほど触れた枠を設定する処理を行う。
設定が終わると、ＣＰＵ２０１では、図１７に示すように、ＬＣＤ２１９にインデックス部Ｉｄｘと”＋”アイコンＩｃ＿ｐおよび”−”アイコンＩｃ＿ｍを消去した画像を表示させ、選局中の番組だけを表示させる。
【００８９】
次に、新たに枠（アイコン）を追加し、チャンネルを設定する動作を説明する。
ＣＰＵ２０１では、図１８に示すように、設定キー２０７１が押されると設定モードに移行する。
ＣＰＵ２０１では、アイコンＩｃが削除されて空いているＬＣＤ２１９の画面上の位置を検索し、検索の結果に応じて画面上の位置に新たな機能ボタン画像を表示させる。
【００９０】
詳細には、ＣＰＵ２０１では、ＬＣＤ２１９に表示されたインデックス部Ｉｄｘの何も枠が無い場所に対応する位置に、タッチパネル装置上でペン４で触れられられると、チャンネル設定がされていないアイコンＩｃ枠が無いので、図１９に示すように、ＬＣＤ２１９に表示されているアイコンＩｃ枠の最後尾に色の変った枠を表示し、ＬＣＤ２１９の画面上に、ＬＣＤ２１９に表示されているアイコンＩｃ枠には存在しない、チャンネルの設定を変えるための”＋”アイコンＩｃ＿ｐおよび”−”アイコンＩｃ＿ｍを表示する。
【００９１】
ＣＰＵ２０１では、図２０に示すように、ペン４によって”＋”アイコンＩｃ＿ｐが操作されるとチャンネル番号の値が大きいチャンネルを選局する設定を行い、ペン４によって”−”アイコンＩｃ＿ｍが操作されるとチャンネル番号の値が小さいチャンネルを選局する処理を行う。
【００９２】
ＣＰＵ２０１では、例えば４０チャンネルが選局された場合には、図２１に示すように、４０チャンネルを示すアイコンＩｃをＬＣＤ２１９に表示させ、インデックス部Ｉｄｘの背景には４０チャンネルの番組を表示させる。
【００９３】
ＣＰＵ２０１では、図２２に示すように、色が変わっているインデックス部Ｉｄｘの”４０”アイコンＩｃ枠がペン４で操作されると、現在選局中のチャンネルに、先ほど触れた枠を設定する。
ＣＰＵ２０１では、図２３に示すように、上述した設定が終わると、インデックス部Ｉｄｘと”＋”アイコンＩｃ＿ｐおよび”−”アイコンＩｃ＿ｍが消去された画像をＬＣＤ２１９に表示させ、選局中の４０チャンネルの番組の画像だけを表示させる。
【００９４】
以上説明したように、１回の指定操作を受けて、通常のモード（第１のモード）または設定モード（第２のモード）のうち、その指定操作に対応するモードを指定する設定キー２０７１と、ＬＣＤ２１９の画面上に表示され、タッチパネル２０９により操作可能な、所定の処理が対応付けられたアイコンＩｃやインデックスキー２０７２等のハード的なスイッチである操作手段と、設定キー２０７１により通常のモードが指定されているときに、操作手段が操作されると当該操作手段に対応付けられた処理を実行し、設定キー２０７１により設定モードが指定されているときに、操作手段が操作されると当該操作手段に対応付けられた処理を指定する処理を行うＣＰＵ２０１とを設けたので、煩雑な操作を行わずに、簡単に所定の設定を行うことができる。
【００９５】
また、従来のように深い階層の設定画面を詮索することなく、簡単に所定の設定を行うことができる。
【００９６】
また、ＣＰＵＰ２０１は、ＬＣＤ２１９のインデックス部Ｉｄｘ上に複数のアイコンＩｃを配置して表示し、アイコンＩｃを削除する操作が行われた場合には、削除対象のアイコンＩｃを画面上から削除し、当該削除対象のアイコンＩｃ以外のアイコンＩｃの画面上の表示位置を保持しているので、ユーザは、削除された以外のアイコンＩｃの表示位置を新たに覚える必要がなく、使い慣れたアイコンの表示位置のまま継続して使用することができる。
【００９７】
なお、本発明は本実施の形態に限られるものではなく、任意好適な種々の改変が可能である。
本実施の形態では、モニタ２とベースステーション３という構成で説明したが、この実施の形態に限られるものではない。
例えば、地上波アナログチューナーのみならず、ＢＳデジタル放送、ＣＳデジタル放送、１１０°ＣＳデジタル放送などのデジタル放送についても同様に上述した装置および方法を用いることで、簡単に所望の設定を行うことができる。
また、エアボード（登録商標）等のインデックス画面をもち、ビデオ入力やインターネット、メールなどの選局以外の機能を同列に扱う機器に用いることで、簡単に所望の設定を行うことができる。
また、パーソナルコンピュータ（ＰＣ）等のランチャーなど、アプリケーションを登録して簡単に起動するために使用されるアプリケーションに用いることで、所望の設定を簡単に行うことができる。
【００９８】
本実施の形態では、プログラムｐはＲＯＭ２０２に記憶されているが、この形態に限られるものではない。例えば、ＲＡＭ２０３等に記憶されていてもよい。
【００９９】
【発明の効果】
本発明によれば、煩雑な操作を行わずに操作手段の設定を行える情報処理装置、情報処理方法、およびプログラムを提供することができる。
また本発明によれば、チャンネル選局が容易な、テレビジョン放送番組選局・表示装置、テレビジョン放送番組選局・表示方法およびそのプログラムが定期言うできる。
【図面の簡単な説明】
【図１】  図１は、本発明に係る情報処理装置を含むワイヤレステレビシステムの全体構成図である。
【図２】  図２は、図１に示したベースの機能ブロック図である。
【図３】  図３は、図１に示したモニタの機能ブロック図である。
【図４】  図４は、図１に示したモニタの一具体例を示す全体図である。
【図５】  図５は、図１に示したモニタの一具体例を示す全体図である。
【図６】  図６は、図１に示すモニタのアイコンＩｃとを対応付けたチャンネル設定に関する処理を説明するための図である。
【図７】  図７は、図１に示したモニタのオブジェクトの相関を示す図である。
【図８】  図８は、図１に示したモニタの設定キーに関する動作を説明するためのフローチャートである。
【図９】  図９は、図１に示したモニタの動作を説明するフローチャートである。
【図１０】  図１０は、図１に示したモニタの動作を説明するための図である。
【図１１】  図１１は、図１に示したモニタの動作を説明するための図である。
【図１２】  図１２は、図１に示したモニタの動作を説明するための図である。
【図１３】  図１３は、図１に示したモニタの動作を説明するための図である。
【図１４】  図１４は、図１に示したモニタの動作を説明するための図である。
【図１５】  図１５は、図１に示したモニタの動作を説明するための図である。
【図１６】  図１６は、図１に示したモニタの動作を説明するための図である。
【図１７】  図１７は、図１に示したモニタの動作を説明するための図である。
【図１８】  図１８は、図１に示したモニタの動作を説明するための図である。
【図１９】  図１９は、図１に示したモニタの動作を説明するための図である。
【図２０】  図２０は、図１に示したモニタの動作を説明するための図である。
【図２１】  図２１は、図１に示したモニタの動作を説明するための図である。
【図２２】  図２２は、図１に示したモニタの動作を説明するための図である。
【図２３】  図２３は、図１に示したモニタの動作を説明するための図である。
【符号の説明】
１…ワイヤレステレビシステム、２…モニタ、３…ベースステーション、４…ペン、２０１…ＣＰＵ、２０２…ＲＯＭ、２０３…ＲＡＭ、２０７…キー、２０８…タッチパネルコントローラ、２０９…タッチパネル、２１２…ＭＰＥＧビデオデコーダ、２１４…ＭＰＥＧオーディオデコーダ、２１６…グラフィックチップ、２１８…ＬＣＤコントローラ、２１９…ＬＣＤ、３０１…ＣＰＵ、３０２…ＲＯＭ、３０３…ＲＡＭ、３１６…ＭＰＥＧビデオエンコーダ、３１８…ＭＰＥＧオーディオエンコーダ、２０１１…設定キー処理オブジェクト、２０１２…インデックスキー処理オブジェクト、２０１３…タッチパネルオブジェクト、２０１４…インデックス表示オブジェクト、２０１５…チャンネル情報オブジェクト、２０１６…選局オブジェクト、２０７１…設定キー、２０７２…インデックスキー。
【図１】
0004244613.tif 000002
【図２】
0004244613.tif 000003
【図３】
0004244613.tif 000004
【図４】
0004244613.tif 000005
【図５】
0004244613.tif 000006
【図６】
0004244613.tif 000007
【図７】
0004244613.tif 000008
【図８】
0004244613.tif 000009
【図９】
0004244613.tif 000010
【図１０】
0004244613.tif 000011
【図１１】
0004244613.tif 000012
【図１２】
0004244613.tif 000013
【図１３】
0004244613.tif 000014
【図１４】
0004244613.tif 000015
【図１５】
0004244613.tif 000016
【図１６】
0004244613.tif 000017
【図１７】
0004244613.tif 000018
【図１８】
0004244613.tif 000019
【図１９】
0004244613.tif 000020
【図２０】
0004244613.tif 000021
【図２１】
0004244613.tif 000022
【図２２】
0004244613.tif 000023
【図２３】
0004244613.tif 000024